(57)【要約】【課題】水回り設備を備えた設備ユニットを容易に施工できる。【解決手段】設備ユニットＳの施工方法は、居住空間内の任意の位置で床仕上面２上に配管等を収容した起立ユニット３を設置する。次に、起立ユニット３の側面に水回り設備として、浴槽８、便器１０、キッチン本体３０、洗面台３３等の少なくともいずれかを設置する。起立ユニット３内には浴槽８に配管接続された第一排水ポンプと第一排水管が設置され、第一排水管を通して天井側に排水を給送する。便器１０に配管接続された第二排水ポンプと第二排水管も設置され、天井側に排水を給送する。起立ユニット３の上部に横方向に延びて配管を設置する天井ユニットを連結した。また、起立ユニット３の側面には床仕上面から起立する側壁１２ａ、１２ｂを構造部材として設置した。【選択図】図３
2018017005.tif 000002
【特許請求の範囲】
【請求項１】
住居内の床仕上面上に少なくとも給水管及び排水管を収容した集約設備を設置する工程と、
前記集約設備の側部に水回り設備を設置する工程と、
を備えたことを特徴とする設備ユニットの施工方法。
【請求項２】
前記集約設備内には前記排水管に連結された排水ポンプが設置され、
前記給水管及び排水管は前記集約設備の上方で横方向に延びて外部配管に接続させるようにした請求項１に記載された設備ユニットの施工方法。
【請求項３】
前記集約設備は前記給水管及び排水管を収容した起立ユニットとその上部に横方向に延びる天井ユニットとを備えており、前記天井ユニットに横方向に延びる前記給水管及び排水管を設置させた請求項１または２に記載された設備ユニットの施工方法。
【請求項４】
前記集約設備の側部には構造部材を設置した請求項１から３のいずれか１項に記載された設備ユニットの施工方法。
【請求項５】
前記起立ユニットの側部には連結部が設置されており、該連結部に前記水回り設備を固定するようにした請求項３に記載された設備ユニットの施工方法。
【発明の詳細な説明】
【技術分野】
【０００１】
本発明は、配管等を収容した集約設備とこの集約設備に連結される浴槽、便器、キッチン、洗面所等の各種の水回り設備とを、居住空間内に独立して設置させる設備ユニットの施工方法に関する。
【背景技術】
【０００２】
従来、居住空間において浴室、トイレ室、キッチン、洗面所等の水回り設備はそれぞれ独立させる間取りが一般的であり、これら水回り設備の建築工事と給水管や排水管等の配管敷設工事等の各種の設備工事が個別に必要であり、煩雑であった。即ち、水回り設備を施工するに当たっては、建築工事と設備工事の取り合いが多いために、これらの事前打合せに多くの時間がかかっていた。さらに、施工現場においても建築工事と設備工事が錯綜することが多く、また、水回り設備の中でも浴室とトイレ室とでは施工時期が異なることが多く、施工に手間がかかっていた。これに対し、これらの水回り設備を集約して設置する間取りの設備ユニットも提案されている。
【０００３】
例えば、特許文献１に記載された衛生設備ユニットでは、躯体壁に水平フレームと垂直フレームを連結させて設置し、間仕切りパネルで仕切った複数のフレームユニットの各空間内に浴室やトイレ、キッチン等の水回り設備を設置している。更に各フレームユニットに配管フレームを設置して水回り設備の給排水を行っている。これらの給排水管等は床仕上面の下側に延ばして外部設備に接続している。
【先行技術文献】
【特許文献】
【０００４】
【特許文献１】特許第５７１５４２６号公報
【発明の概要】
【発明が解決しようとする課題】
【０００５】
しかしながら、上述した特許文献１に記載の衛生設備ユニットでは、大きな配管や複数本の配管、或いはまとめた電気配線等の設置スペースの確保やメンテナンスに制約があった。さらに、建築工事と衛生設備の設置工事等との取り合いが多く残っており、さらなる施工の効率化が望まれていた。
【０００６】
本発明は、このような課題に鑑みてなされたものであって、水回り設備を備えた設備ユニットを容易に施工できるようにした設備ユニットの施工方法を提供することを目的とする。
【課題を解決するための手段】
【０００７】
本発明による設備ユニットの施工方法は、住居内の床仕上面上に少なくとも給水管及び排水管を収容した集約設備を設置する工程と、集約設備の側部に水回り設備を設置する工程と、を備えたことを特徴とする。
本発明では、住居内の床仕上面上に給水管や排水管を収容した集約設備を起立状態で設置した後に、集約設備の周囲に水回り設備を設置することで、水回りの設備ユニットを簡単且つ容易に施工できる。しかも、建築工事で仕上げ床仕上面まで完了した後に、設備工事として設備ユニットの施工を集中的に行うことができ、建築工事と設備工事との取り合いを減少させることができる。
【０００８】
また、集約設備内には給水管及び排水管に連結された排水ポンプが設置され、給水管及び排水管は集約設備の上方で横方向に延びて外部配管に接続させることが好ましい。
給水管及び排水管を排水ポンプに連結して集約設備内で上方に延ばし、更に配管を横方向に延ばして外部配管に接続することで水回り設備の排水を天井側に向けて排水できるため、床仕上面の下側に排水設備を設置することなく排水できる。
【０００９】
また、集約設備は給水管及び排水管を収容した起立ユニットとその上部に横方向に延びる天井ユニットとを備えており、天井ユニットに横方向に延びる配管を設置させることが好ましい。
集約設備として起立ユニットの上部に天井ユニットを設置して、上方に延ばした配管を天井ユニット上に施工することで配管を天井ユニットで保持でき、居室の下側から目視できないので見栄えがよい。
【００１０】
また、集約設備の側部には構造部材を設置することが好ましい。
集約設備の側面に床仕上面から起立する構造部材を構造体として設置することで、起立ユニットをより高強度に保持できて安定性が向上する。
【００１１】
また、起立ユニットの側部には連結部が設置されており、該連結部に水回り設備を固定するようにしてもよい。
先に設置した起立ユニットに設けた凹凸部や係合部等の一方からなる連結部に他方を備えた水回り設備を連結して嵌合固定することで、より簡単に水回り設備を取り付け取り外しすることができ、墨出しなどの工事の手間を省くことができる。
【発明の効果】
【００１２】
本発明による設備ユニットの施工方法によれば、住居内の床仕上面上に配管を収容した集約設備を設置し、集約設備の側部に水回り設備を設置することで、水回り設備等の建築工事と配管工事等との取り合いを低減できる。しかも集約設備に水回り設備を簡単且つ容易に施工できる。
【図面の簡単な説明】
【００１３】
【図１】本発明の実施形態による設備ユニットを居室内の床仕上面に設置した状態を示す模式図である。
【図２】実施形態による設備ユニットの斜視図である。
【図３】図２に示す設備ユニットにおいて起立ユニットの周囲に水回り設備を備えた平面図である。
【図４】起立ユニットの両側にトイレと浴室を設置した構成を示す説明図である。
【図５】設備ユニットをトイレ側から見た側面図である。
【図６】起立ユニットと天井ユニットを備えた集約設備の内部構造を示す説明図である。
【図７】設備ユニットを浴室側から見た一部破断側面図である。
【図８】天井ユニットと浴室の開閉扉を示す要部縦断面図である。
【図９】図８に示す開閉扉の吊り構造のＡ部拡大図である。
【図１０】（ａ）（ｂ）は天井ユニットの変形例を示す断面図である。
【発明を実施するための形態】
【００１４】
以下、本発明の実施形態による設備ユニットＳを添付図面によって説明する。
図１は実施形態による設備ユニットＳをマンション等の各種の建物内に設けた居室空間Ｋに設置した模式図である。図１において、建物内の住居の居室空間Ｋ内に水回り設備Ｍを備えた設備ユニットＳが設置されている。設備ユニットＳは例えば給排水管等の各種配管やダクト、電気設備等を収容した集約設備１とその周囲に設けた１または複数の水回り設備Ｍとで構成されており、設備ユニットＳは居住空間Ｋ内の任意の位置で例えばフローリング等の床仕上面２上に設置できる。
図２乃至図５は実施形態による設備ユニットＳを示すものである。図２に示す設備ユニットＳに設けた集約設備１は、床仕上面２に例えばアンカー等で固定して設置される起立ユニット３とその上部に設けた天井ユニット４とで略逆Ｌ字形に形成されている。起立ユニット３は例えば浴室８や便器１０等の各種の水回り設備Ｍを支持する塔状構造体であり、水平断面が縦横方向にそれぞれ所定幅を有する中空の筒体で形成され、床仕上面２から自立して鉛直方向に延びている。
【００１５】
天井ユニット４は例えば水平方向に配設されていて断面略Ｕ字状に形成されて上部が開放されており、起立ユニット３の上端部に一端が連結され他端部は居住空間Ｋの壁面を貫通してパイプシャフトに連結されている。或いは、天井ユニット４は壁面と非接触に支持されていてもよい。天井ユニット４は図示しない天井面をなす天井スラブの梁からわずかに隙間を開けて下側に設置されているが、天井面に当接して設置してもよい。なお、図１に示す集約設備１では天井ユニット４は含まれていない。
【００１６】
起立ユニット３や天井ユニット４は例えば略四角形筒枠や略Ｕ字枠等のフレームをパネルで覆った筒状や枠状にした構成でもよいし、或いはフレームを用いることなく高剛性パネルだけで四面や三面を形成したフレームレス構造でもよい。また、起立ユニット３や天井ユニット４は略四角形筒状や断面略Ｕ字枠状に限定されるものではなく、略円筒状でもよいし他の多角形筒状でもよく、その断面形状は任意に設定できる。
本実施形態における起立ユニット３は例えば角筒状とされ、各角部に設けた補強用のフレームと壁面をなすパネル材とで構成されている（図３、図６参照）。また、天井ユニット４は起立ユニット３の上端側面に接続されている。
【００１７】
天井面と天井ユニット４との間に適宜の隙間を設置した方が、天井が高く見えるため好ましい。天井面は突出する梁や施工誤差等の関係で水平でない場合があり、天井ユニット４を天井面から離すことで水平に設置することができる。しかも、天井面と天井ユニット４との間に隙間を設けると後述するように天井ユニット４に配設した各種配管や電気配線２４や換気ダクト２１等のメンテナンスを行いやすい。
また、床仕上面２から天井ユニット４までの距離は適宜設定できるが、一例をいえば、２１１８ｍｍ〜１７２０ｍｍの範囲、或いは２１１８ｍｍ〜１８３０ｍｍの範囲に設定できる。
【００１８】
例えば集約設備１における起立ユニット３及び天井ユニット４を備えた空間内には起立ユニット３に支持された浴槽８が設置されている。浴槽８は起立ユニット３に対して可動しないように床仕上面２上に固定されていてもよいし、図示しない回動軸を介して起立ユニット３に沿った起立位置と床仕上面２上に設置した倒伏位置との間で回動可能に連結されていてもよい。浴槽８の上方には天井ユニット４が設置されており、これが浴槽８の天井になっているが、必ずしも天井ユニット４が浴槽８の天井となっていなくてもよい。
図３乃至図５に示すように、起立ユニット３の浴槽８と反対側の側面には水洗便器等の便器１０が固定されている。図４に示す例では便器１０は床仕上面２より上側に浮いて起立ユニット３の側面に固定されているが、床仕上面２上に設置固定されていてもよい。また、便器１０は図示しない回動軸回りに起立及び倒伏可能に支持され、起立ユニット３に収納可能であってもよい。浴槽８と便器１０は集約設備１に設置された水回り設備Ｍである。
【００１９】
また、図３において、起立ユニット３の両側面には例えばパネル状の側壁１２ａ、１２ｂが略平行に配列されている。側壁１２ａ、１２ｂは所定厚みを有する壁体で、フレーム材とパネル材とで構成された構造部材である。この側壁１２ａ、１２ｂによって、起立ユニット３を補強しており、延在方向の一方の端部では浴槽８の起立ユニット３側の一部を囲っている。
また、側壁１２ａ、１２ｂの他方の端部は起立ユニット３の浴槽８と反対側に延びて便器１０の両側部を仕切る空間を形成し、この空間はトイレ室１６を形成する。トイレ室１６の先端開口にトイレ扉１１が開閉可能に取り付けられている。なお、トイレ扉１１は設置しなくてもよい。
【００２０】
起立ユニット３の一方の側面に連結された一方の側壁１２ａの外側において、その下部には流し台やガス台等を有する下部キャビネット２９を備えたキッチン本体３０がキッチンとして設置されている。図５に示すように、キッチン本体３０の上方には側壁１２ａの上部に上部キャビネット３１が取り付けられている。また、起立ユニット３の他方の側面に連結された他方の側壁１２ｂの外側において、その下部に洗面ボウル等を有する洗面台３３が取り付けられている。キッチン本体３０や洗面台３３も水回り設備Ｍである。
【００２１】
図４及び図６に示す集約設備１において、浴槽８内の排水は排水管を介して略角筒状の起立ユニット３内に設置した第一排水ポンプ(圧送ポンプ)Ｐ１に供給され、第一排水管１７を介して起立ユニット３及び天井ユニット４を通して外部に排出される。また、第一排水ポンプ(圧送ポンプ)Ｐ１には、キッチン本体３０や洗面台３３の排水管も接続されている。
第一排水ポンプ(圧送ポンプ)Ｐ１は排水や排水中のごみ等の物体をインペラ(羽根車)で砕く等して第一排水管１７を通して上方に圧送する。この第一排水管１７は起立ユニット３内を上方に延びて略９０度方向を変えて断面略Ｕ字状の天井ユニット４上を横方向に延びている。横方向に延びた天井ユニット４に格納された配管の各々は、設備用の縦管を収納するパイプシャフトに格納された給水管や排水管などにそれぞれ接続されている。
【００２２】
また、便器１０内の汚物や汚水を含む排水は排水管を介して起立ユニット３内の第二排水ポンプ(圧送ポンプ)Ｐ２に排出され、第二排水管１８を介して外部に排出される。第二排水ポンプＰ２は、排水中の汚物等をインペラ(羽根車)で砕く等して第二排水管１８の上方に圧送する。この第二排水管１８は第一排水管１７と同様に、起立ユニット３内を上方に延びて略９０度方向を変えて天井ユニット４上を横方向に延びて外部に突出している。
なお、第一排水ポンプＰ１および第二排水ポンプＰ２には小型のタンクが設けられており、各ポンプＰ１，Ｐ２は例えばタンクに貯留した排水の水位によってＯＮ／ＯＦＦ制御されるように構成されている。
【００２３】
起立ユニット３及び天井ユニット４内には、浴槽８やキッチン本体３０等に給湯を行う給湯管１９と、便器１０や浴槽８、更にはキッチン本体３０や洗面台３３の水道の蛇口等に給水を行う給水管２０とが収容されている。
また、起立ユニット３及び天井ユニット４内には、浴室１５やキッチン本体３０を換気するための換気ダクト２１が収容されている。トイレ室１６内では、便器１０の下側付近に開口２２ａを有していて臭気を吸引し排気する排気ダクト２２も設置されている。これら換気ダクト２１や排気ダクト２２も起立ユニット３及び天井ユニット４を通って外部に延びている。なお、換気ダクト２１に設けられる換気ファンや排気ダクト２２に設けられる排気ファンは適宜の位置に設置されていればよく、例えば、起立ユニット３内に設置されていれもよいし、天井ユニット４内や外部に設置されていてもよい。
【００２４】
集約設備１内には、浴槽８や便器１０、キッチン本体３０や洗面台３３等に給電したり信号送受信したりするための電気配線(配線)２４も束ねて設置されているが、これら電気配線２４は配線配管２５内に通線していてもよいし、或いは配線配管２５を用いずに、束ねてまたは個別に配設していてもよい。また、これらの配管以外に空調用の配管（冷媒配管）等を含んでいてもよい。例えば電気配線２４は、例えばパイプシャフトのある位置とは別に玄関付近に設置され、屋外の配電盤から幹線を介して接続された分電盤に通線している。分電盤はリミッターや漏電遮断器や安全ブレーカー等を備えている。複数の安全ブレーカーから引き出された複数の電気配線２４は各水回り設備Ｍの電気設備や照明器具等から延びる電気配線とインターフェースを介してそれぞれ接続されている。
【００２５】
更に起立ユニット３の各側面には、浴槽８への給湯や温度調整等を行うためのコントロールパネルや便器１０の操作パネル等が設置されていてもよい(図示せず)。起立ユニット３の各側面には、例えば照明、給湯、空調等を制御するスイッチ、コンセント、コントローラー、リモコンや、玄関等の周辺環境の状態を把握し制御するカメラ等の撮影機器または赤外線センサ等の監視機器等を制御する受像機やリモコン等を設置してもよい。
そして、集約設備１の内部に収納した電気配線２４等を通して上述したスイッチやリモコン等に電力を供給したり制御信号を入出力したりすることができる。
【００２６】
なお、各配管や換気ダクト２１、排気ダクト２２等の断面形状は任意であり、天井ユニット４の高さを圧縮するために楕円形や長方形等の扁平な断面形状の配管やダクト等を採用してもよい。また、図６や図７において、本実施形態では、天井ユニット４を断面略Ｕ字状に形成して上部を天井側に開放したため、各配管や換気ダクト２１や排気ダクト２２や電気配線２４等を取り出し易くメンテナンスや交換等が容易になる。なお、天井ユニット４の上面に開閉可能な蓋を設置すれば、埃やごみ等の付着を防いで各部材のメンテナンスや交換等を容易に行える。
【００２７】
次に、浴室１５の扉開閉構造について図３及び図４、図７乃至図９によって説明する。
図３及び図４、図７及び図８において、天井ユニット４の下面の幅方向両端部には例えば２対のガラス扉からなる開閉扉３５が吊り下げ機構３６によってスライド可能に吊り下げられている。図３及び図４、図７において、２対の開閉扉３５は起立ユニット３側の側壁１２ａ、１２ｂの内側と浴槽８の外側（居住空間Ｋの壁面側）端部との間でそれぞれスライド可能に配設されている。なお、浴槽８の外側端部に浴槽８を閉鎖する目隠し用の間仕切り、カーテン等を設置してもよい。
【００２８】
開閉扉３５が、浴室１５の両側を仕切る側壁１２ａ、１２ｂと浴槽８の外側端部との間の空間をスライドすることで浴室１５の開放空間Ｏを開閉できる。例えば、一対の開閉扉３５を浴槽８の外側端部にスライドさせることで、開放空間Ｏの開口を通して入浴者が浴槽８に出入り可能となる。なお、浴槽８の外側端部に開閉扉３５の外れを防ぐストッパーを設けてもよい。
また、吊り下げ機構３６は、平面視略長方形の浴槽８を仕切る一対の長辺側部８ａに対向する天井ユニット４の下面両側にそれぞれ設置されている。また、開閉扉３５の外側には側壁１２ａ、１２ｂ上にタイルパネル３４が貼り付けられている（図８参照）。
【００２９】
次に、図８及び図９によって、開閉扉３５の吊り下げ機構３６について詳述する。
図８及び図９において、天井ユニット４の下面の幅方向両端部に設けた一対のレール受け部４０が天井ユニット４の長手方向に延びており、この一対のレール受け部４０には浴室１５の両側に沿ってスライド可能な開閉扉３５の各複数対の車輪４４が設置されている。浴槽８の外側端部と側壁１２ａ、１２ｂの間の浴室１５の開放空間Ｏを各一対の開閉扉３５で開閉可能とされている。
図９に示す吊り下げ機構３６の拡大図において、天井ユニット４の幅方向両端下面には上部枠体３７の下面にねじ止めされた下部枠体３８が設置されている。下部枠体３８内の上部には中央開口４０ｂを挟んで両側に一対のレール部４０ａが形成されたレール受け部４０が長手方向に沿って延びている。
【００３０】
一方、開閉扉３５の上端部を両面側から挟んで支持する一対の支持部４２の上部に支持軸４３が突出形成されている。この支持軸４３は中央開口４０ｂを通してレール受け部４０から下方の支持部４２に延びており、支持軸４３の上部両側にはレール部４０ａに載置されて摺動可能な一対の車輪４４が支持されている。
一対の支持部４２で挟持されて吊り下げられた開閉扉３５は下方に垂下されており、図８に示すように、その下端部は浴槽８の長辺側部８ａの天端に設けた受け溝４６内に納められている。そのため、開閉扉３５を天井ユニット４のレール受け部４０に沿ってスライド移動させると、浴槽８の受け溝４６にガイドされて摺動して開閉作動する。なお、浴槽８の両側の長辺側部８ａに設けた受け溝４６は浴槽８の外側端部から起立ユニット３側に向けてわずかに下方傾斜しており、受け溝４６内に落ち込んだ湯や水は起立ユニット３側に流れて浴槽８内に落下するように形成されている。なお、受け溝４６に流れ込んだ湯や水は、起立ユニット３側に流れて浴槽８の上面と起立ユニット３との隙間からその下方に設けた排水パンに誘導して起立ユニット３内の排水管に接続して排水するようにしてもよい。
【００３１】
なお、集約設備１における各配管等を収納した天井ユニット４は必ずしも断面略Ｕ字状に形成されていなくてもよい。例えば、図１０（ａ）に示すように断面略矩形状の筒型に形成されていてもよいし、或いは図１０（ｂ）に示すように平板状等の載置面に形成されていてもよい。いずれの場合でも、天井ユニット４は第一排水管１７や第二排水管１８や給湯管１９や給水管２０や換気ダクト２１や排気ダクト２２や電気配線２４等を居室空間Ｋの床仕上面側から目視できないように配設できればよく、美観を損ねることがない。
【００３２】
本実施形態においては、起立ユニット３内に設けた第一及び第二排水管１７，１８や給湯管１９や給水管２０等の各種の配管や電気配線２４等は床仕上面に引き込むことなく、床仕上面２側から起立ユニット３を通して立ち上げて天井ユニット４を介して天井側に取り回すようにした。そのため、集約設備１とその周囲の浴槽８や便器１０やキッチン本体３０や洗面台３３等の水回り設備Ｍを床仕上面上で適宜位置に選択的に且つ容易に設置できる。そして、天井ユニット４から例えば居室空間Ｋの壁面を通してパイプシャフトに連結すること等ができて、設置の自由度が高い。さらに、電気配線２４は、第一及び第二排水管１７，１８や給湯管１９や給水管２０等の各種の配管よりも上方に配置させたことにより、万が一漏水した場合であっても漏電が防止できる。
【００３３】
本実施形態による設備ユニットＳは上述した構成を備えており、次にその施工方法について説明する。
まず、建築工事で床仕上面２まで施工する。このとき、床仕上面２の下部（二重床内）には設備配管類は一切設置する必要がないため、建築工事との取り合いがない。続いて、居室空間Ｋ内の適宜の位置に集約設備１の起立ユニット３を床仕上面２上に設置する。居室空間Ｋ内での起立ユニット３の設置位置は中央でもよいし、コーナー部でもよいし、或はいずれかの壁面に近接または当接する位置に設置してもよい。図１に示す例では居室空間Ｋの中央に設置した。起立ユニット３の内部には、第一排水ポンプＰ１と第二排水ポンプＰ２が設置されており、第一排水ポンプＰ１に第一排水管１７を接続して上方に延ばしている。同様に第二排水ポンプＰ２に第二排水管１８を接続して上方に延ばしている。
【００３４】
更に、給湯管１９や給水管２０や換気ダクト２１や排気ダクト２２や電気配線２４等を収納した配線配管２５等も同様に収納されている。なお、起立ユニット３は工場においてフレーム枠を構築し、その内部に適宜配管・配線・ダクト類を取り付けた状態で現場に搬入し、施工現場にて起立ユニット３のパネル材を取り付けるようにしてもよいし、パネル材まで工場で取り付けて現場に搬入するようにしてもよい。
【００３５】
図２及び図３において、起立ユニット３は例えば略四角形筒状であり、例えばその対向する側面に予め設けた連結部に浴槽８と便器１０をそれぞれ連結固定し、浴槽８の排水管を第一排水ポンプＰ１に、便器１０の排水管を第二排水ポンプＰ２にそれぞれ接続する。また、起立ユニット３の他の対向する側面に設けた連結部にはキッチン本体３０と洗面台３３をそれぞれ連結し、その排水管を第一排水ポンプＰ１に接続する。なお、起立ユニット３に設けた連結部とは、各水回り設備Ｍを位置決めして取り付けるための凹凸部や係止金具などのことであり、この連結部を設けることにより各水回り設備Ｍを取り付ける際の墨出しが不要になる。
【００３６】
これらの水回り設備Ｍは起立ユニット３の略四角形筒状の各側面に放射状に設置して設備ユニットＳを形成することになる。しかも、各配管等は起立ユニット３を介して天井側に延ばすことで、各水回り設備Ｍの建築工事と設備工事との錯綜や取り合いをなくすことができる。そして、図１に示すように、設備ユニットＳを例えば居室空間Ｋの中央付近に設置することで、その周囲を有効活用することができる。具体的には、設備ユニットＳの周囲をリビングや寝室として利用したり、動線としての通路（廊下）や脱衣スペース、化粧直しのスペースとして利用することもできる。つまり、余計な間仕切り壁などを設けることなく、居室空間Ｋを最大限有効活用することができる。また、設備ユニットＳを中心に居室空間Ｋを図示しない壁面パネルや家具等で仕切ることで、トイレ室１６や浴室１５や台所や居室や洗面所やその廊下等を区画形成してもよい。
【００３７】
また、起立ユニット３の上端部に天井ユニット４を連結し、天井側に延ばした配管やダクト等を天井ユニット４上に載置する等して横方向にガイドして外部に突出させ外部配管等に連結させる。或いは、予め起立ユニット３に天井ユニット４を連結した略Ｌ字型の集約設備１を居室空間Ｋ内の床仕上面２に設置しておいてもよい。また、天井側に延ばした配管やダクト等は、天井ユニット４を設けない場合(図１参照)でも、天井に沿って横方向に配設することで壁面等を介して外部に突出させてもよい。
このようにして、居室空間Ｋ内の適宜位置に設備ユニットＳを設置できる。
なお、起立ユニット３や各水回り設備Ｍの下面に予め床仕上面２上での滑りをよくする潤滑性の高いボード材（スライダーボード）を固定して置いてもよい。これによって、設備ユニットＳの起立ユニット３や水回り設備Ｍを居室空間Ｋ内に設置したり移動させたりする場合に、重量があっても床仕上面２を傷つけることなくスムーズに移動させることができる。設備ユニットＳを床仕上面２に固定する場合には、ネジ等で取り外し可能に床仕上面２に固定すればよい。
【００３８】
また、本実施形態による設備ユニットＳの使用方法の一例を説明すると次の通りである。
集約設備１に設置した浴槽８は、使用状態で図２乃至図４に示すように床仕上面２上に設置されている。この状態で、図示しないコントロールパネルまたは操作パネルを操作して集約設備１内の給湯管１９を通して浴槽８内に給湯する。給湯終了後、開閉扉３５を浴槽８の長辺側部８ａに形成した受け溝４６に沿ってスライドして開口することで入浴者が浴室１５内に入って入浴できる。
なお、受け溝４６に湯水等が流入したとしても、受け溝４６は起立ユニット３側に傾斜しているために、受け溝４６を経由して浴槽８内に流し込むことができる。
入浴後は浴槽８内の湯を排出させ、第一排水ポンプＰ１によって第一排水管１７を通して天井側に圧送して排水する。
【００３９】
次に、便器１０を使用する場合には、使用後に給水管２０からの給水を予め溜めた図示しないタンクからの給水で便器１０内の汚水や汚物等を流し、汚水や汚物等は排水管を介して第二排水ポンプＰ２に設けたタンクに排水される。第二排水ポンプＰ２では汚物や汚水がインペラ等で砕かれた状態で第二排水管１８第を通して天井側に圧送して排水される。キッチン本体３０や洗面台３３においても、同様に給湯管１９や給水管２０から湯や水が給水され、排水として第一排水ポンプＰ１に排出される。
なお、集約設備１や天井ユニット４の上部に、建物の天井に向けて光を照射する間接照明を設置でき、また集約設備１や水回り設備Ｍの足元部分に間接照明による足元照明を設置できる。更に集約設備１や水回り設備Ｍの足元付近にコンセントを設置することで生活家電等の使い勝手が良くなる。
【００４０】
上述したように、本実施形態による集約設備１を備えた設備ユニットＳとその施工方法によれば、天井側に延びる各種配管やダクト等を収納した起立ユニット３を床仕上面２に設置した後で各側面に浴槽８や便器１０等の水回り設備Ｍを連結するようにしたから、起立ユニット３内に配管等や電気系統を集約して設置できる。しかも、配管等は床仕上面２に引き込んで床下から取り回すことがないため、一層施工工事が容易になる。建築工事と設備工事とが錯綜することがなく、取り合いを減らして効率よく施工できる。しかも配管等は床仕上面２に引き込んで床下から取り回すことがないため、一層施工工事が容易になる。
また、各種配管やダクト等の集約設備１と水回り設備Ｍを設備ユニットＳとしてユニット化し集約して床仕上面２上の任意の位置に設置できるため、生活スタイルの多様化に対応できて住居構造の自由度が高い。しかも起立ユニット３を中心として放射状に各種の水回り設備Ｍを設置できるため、水回り設備Ｍに隣接する居室スペースや廊下等の通路等を適宜選択できて多様な空間を選択でき、居住空間Ｋ全体に効率的な配置で装備できる。
【００４１】
また、集約設備１は起立ユニット３が略角筒状であり、天井ユニット４を連結して略Ｌ字状に形成したため、従来のフレームユニット構造と比較して支持強度と剛性が高くねじれに強い。また、起立ユニット３の両側に構造部材(構造体)となる側壁１２ａ、１２ｂを設置してその両側に且つ起立ユニット３の各側面にそれぞれ水回り設備Ｍを連結した構成であるため、一層高い支持強度を有する。水回り設備Ｍの位置調整が不要で位置ずれを抑制して施工精度が高い。
更に、集約設備１の起立ユニット３及び天井ユニット４は断面略筒状で大径の第一及び第二排水管１７，１８や給湯管１９及び給水管２０、そして換気ダクト２１や排気ダクト２２や配線配管２５等をまとめて設置できる。そのため、配設経路がまとまって単純化できて浴槽８や便器１０等の各水回り設備Ｍへの接続とメンテナンスが容易である。また、天井ユニット４は断面略Ｕ字状であるため、各配管等のメンテナンスや交換等が容易である。
【００４２】
なお、本発明による設備ユニットＳは上述した実施形態に限定されるものではなく、本発明の趣旨を逸脱しない範囲で適宜の変更や置換等が可能である。以下に、本発明の変形例等について説明するが、上述した実施形態で説明した部品や部材等と同一または同様なものについては同一の符号を用いて説明を省略する。
【００４３】
上述した実施形態において、設備ユニットＳの集約設備１内に収納した各種配管を天井側に延ばすように構成したが、本発明では起立ユニット３内の第一及び第二排水管１７，１８や給湯管１９及び給水管２０等の配管は床仕上面２の下側、例えば床仕上面２と床スラブの間の下部空間等に敷設してもよい。この場合には床仕上面２の下側で配管設置工事が必要になる。
なお、配管を床仕上面２に引き込んで床下から取り回す場合、第一及び第二排水管１７，１８において適切な排水勾配が確保できる場合には第一及び第二排水ポンプＰ１，Ｐ２を設置せず、排水を自然流下方式としてもよい。この場合でも起立ユニット１内に第一及び第二排水管１７，１８に接続する各タンクを設置して、タンクに貯留させた排水を第一及び第二排水管１７，１８を通して床下に排水することが好ましい。
また、上述した各配管やダクトや電気配線２４等の少なくとも一部を集約設備１の起立ユニット３を通して天井側に誘導させ、残りの一部を床下側に誘導するように構成してもよい。
【００４４】
また、設備ユニットＳにおいて、起立ユニット３の各側面に浴槽８、便器１０、キッチン本体３０、洗面台３３を放射状に連結したが、配列の順序は適宜選択できる。また、水回り設備Ｍは、必ずしも浴槽８、便器１０、キッチン本体３０、洗面台３３の４種類全てを設置する必要はなく、任意の１種類以上を設置できればよい。
なお、水回り設備Ｍは上述した４種類のものに限定されるものではなく、適宜の設備を設置できる。例えば、浴槽８に加えて防水パンを設置してもよく、浴槽８の代わりに浴室ユニット、またはシャワーユニットを設置してもよい。さらには、便器１０の代わりにトイレユニットを設置してもよい。また、全自動洗濯機等を設置してもよい。ダクトとして換気ダクト２１や排気ダクト２２以外にキッチン本体３０の換気扇や空調機等に連結する空調ダクト等を設置して起立ユニット３内に配設してもよい。また、空調機を例えば側壁１２ａ、１２ｂ等に設置してもよく、その場合、冷気は吹出し口からそのまま吹き出してもよいが、暖房については集約設備１内に設けた空調ダクトを床仕上面２側に通して足元から暖気を吹出すようにしてもよい。
また、水回り設備Ｍは、上述した浴槽８、便器１０、キッチン本体３０、洗面台３３等の設備機器に代えて、浴槽８を有する浴室１５、便器１０を有するトイレ室１６、キッチン本体３０を備えた台所、洗面台３３を備えた洗面所等の設備空間としてもよい。
【００４５】
また、集約設備１において、起立ユニット３に必ずしも天井ユニット４を連結する必要はなく、起立ユニット３だけを設置してもよい。この場合、各配管は起立ユニット３の上端から湾曲させて壁面等の適宜方向に延ばせばよい。その際、各配管が大径で湾曲することで通水時等に暴れることを防ぐために略Ｌ字状のエルボー配管を配設してその両端部に分断した配管の各端部をそれぞれ連結してもよい。
また、上述した集約設備１の側面に照明器具等を設置してもよく、例えば起立ユニット３の側面や天井ユニット４の上面等に照明器具を設置したり埋め込んだりすれば、間接照明として使用こともできる。
【００４６】
なお、起立ユニット３の上部から建物の居住空間Ｋの壁面方向に向かって、あるいは、角筒状の起立ユニット３の４つの側面に対して直交する各方向に配管やダクト等を支持するフレームや天井ユニット４等が設けられていてもよい。また、起立ユニット３から延びるフレームや天井ユニット４等にスライド扉もしくはカーテン等の空間を仕切る機構が取り付けられていてもよい。
フレームや天井ユニット４等に設置したスライド扉やカーテン等の仕切り部材は、未使用時には起立ユニット３の周囲や周辺、もしくは壁面側に収納されたり畳まれたりして設置してもよい。
【００４７】
本発明による設備ユニットＳにおいて、居住空間Ｋを広く使う場合、浴槽８や便器１０やトイレ本体３０や洗面台３３等の水回り設備Ｍが起立ユニット３に対して常設の仕切り壁等のような仕切り部材を設けずにオープンな空間に設定する場合がある。この場合、仕切り部材がないため他人の視線や臭気、湿気や水はね等が周囲に流れたり飛散したりするおそれがある。
【００４８】
上述した問題点を考慮すると、使用時のみ用いる仕切り壁等の仕切り部材を設ける必要がある。
その為、起立ユニット３から延びるフレームもしくは天井ユニット４等にスライド扉やカーテン等を設置することで、設備ユニット３を設けた居住空間Ｋを通常はオープンな空間とし、各種の水回り設備Ｍの使用時にはスライド扉やカーテン等で仕切って浴室１５やトイレ室１６等をクローズに仕切ることができる。そのため、居住空間Ｋを広く、かつ水回りも快適に使用することができる。
しかも、居住空間Ｋ内のこれらのフレームや天井ユニット４にスライド扉やカーテン等のような仕切り部材を設けるだけで良い。また、これらの仕切り部材は、通常時は邪魔にならないように起立ユニット３の周囲、周辺、もしくは居住空間Ｋの壁面側に収納されていても良い。
【符号の説明】
【００４９】
Ｓ  設備ユニット
１  集約設備
３  起立ユニット
４  天井ユニット
８  浴槽
１０  便器
１２ａ、１２ｂ  側壁
１５  浴室
１６  トイレ室
１７  第一排水管
１８  第二排水管
１９  給湯管
２０  給水管
２１  換気ダクト
２２  排気ダクト
２４  電気配線
２５  配線配管
３０  キッチン本体  
３３  洗面台
３５  開閉扉
Ｐ１  第一排水ポンプ
Ｐ２  第二排水ポンプ
Ｍ  水回り設備
【図１】
2018017005.tif 000003
【図２】
2018017005.tif 000004
【図３】
2018017005.tif 000005
【図４】
2018017005.tif 000006
【図５】
2018017005.tif 000007
【図６】
2018017005.tif 000008
【図７】
2018017005.tif 000009
【図８】
2018017005.tif 000010
【図９】
2018017005.tif 000011
【図１０】
2018017005.tif 000012